(57)【要約】  人体通信システムにおいて、変更可能なデータ速度の信号送信及び受信装置並びに方法を開示する。該信号送信機は、転送速度を含むヘッダ情報を生成するヘッダ生成部と、転送するデータを、転送速度によって０ないし数回反復して転送データを生成するデータ生成部と、生成されたデータを所望の周波数帯域の拡散符号を使用して拡散するスプレッダと、ヘッダ情報及び拡散されたデータを多重化して出力する多重化部とを含むことを特徴とする。
2010528552.tif 000002
【特許請求の範囲】
【請求項１】
転送速度を含むヘッダ情報を生成するヘッダ生成部と、
転送するデータを、前記転送速度によって０ないし数回反復して転送データを生成するデータ生成部と、
前記転送データを所望の周波数帯域の拡散符号を使用して拡散するスプレッダと、
前記ヘッダ情報及び拡散されたデータを多重化して出力する多重化部と
を備えた信号送信機。
【請求項２】
前記スプレッダは、前記転送データを並列に変換した後、前記拡散符号を使用して拡散することを特徴とする請求項１に記載の信号送信機。
【請求項３】
前記スプレッダは、拡散符号として２N個のウォルシュ符号を使用し、２M（ただし、Ｍ＜Ｎ）個のウォルシュ符号を選択し、（Ｎ−Ｍ）個の周波数選択ビットをＮ個の全体入力ビットの最上位に配置させ、所望の周波数帯域選択のための周波数選択ビット値を設定し、前記転送データを拡散することを特徴とする請求項２に記載の信号送信機。
【請求項４】
転送速度を含むヘッダ情報を生成するステップと、
転送するデータを、前記転送速度によって０ないし数回反復して転送データを生成するステップと、
前記転送データを所望の周波数帯域の拡散符号を使用して拡散するステップと、
前記ヘッダ情報及び拡散されたデータを多重化して出力するステップと
を備えたことを特徴とする信号送信方法。
【請求項５】
前記データの拡散するステップ以前に、前記生成されたデータを並列に変換するステップをさらに備えたことを特徴とする請求項４に記載の信号送信方法。
【請求項６】
前記データの拡散するステップは、
拡散符号として２N個のウォルシュ符号を使用するステップと、
２M（ただし、Ｍ＜Ｎ）個のウォルシュ符号を選択するステップと、
（Ｎ−Ｍ）個の周波数選択ビットをＮ個の全体入力ビットの最上位に配置させるステップと、
所望の周波数帯域選択のための周波数選択ビット値を設定するステップと
を含むことを特徴とする請求項５に記載の信号送信方法。
【請求項７】
受信されたデータを、ヘッダとデータとに分離する逆多重化部と、
転送速度を含むヘッダ情報を前記ヘッダから抽出するヘッダ処理部と、
前記転送速度によって入力データを異ならせて拡散し、拡散された結果と、前記受信されたデータの相関度とを演算し、最も大きい相関度に対応する入力データを逆拡散データとして決定するデスプレッダと
を備えた信号受信機。
【請求項８】
前記デスプレッダは、
前記転送速度によって異なって決定される前記入力データを、所望の周波数帯域の拡散符号を使用して拡散するスプレッダ部と、
前記スプレッダ部の出力と前記受信されたデータとの相関度をそれぞれ演算する相関部と、
前記相関部の出力を互いに比較し、相関度が最も高い出力に該当する入力データを逆拡散データとして出力する比較選択部と
を備えたことを特徴とする請求項７に記載の信号受信機。
【請求項９】
前記スプレッダ部は、拡散符号として２N個のウォルシュ符号を使用し、２M（ただし、Ｍ＜Ｎ）個のウォルシュ符号を選択し、前記Ｍが前記入力データのビット数であるとき、（Ｎ−Ｍ）個の周波数選択ビットをＮ個の全体入力ビットの最上位に配置させ、所望の周波数帯域選択のための周波数選択ビット値を設定し、前記生成されたデータを拡散することを特徴とする請求項８に記載の信号受信機。
【請求項１０】
前記相関部は、
前記スプレッダ部の出力を、前記受信されたデータとそれぞれＸＯＲ演算するＸＯＲ演算部と、
前記ＸＯＲ演算部の出力を、前記転送速度に対応するシンボル区間の間積算する積算部と
を備えたことを特徴とする請求項８に記載の信号受信機。
【請求項１１】
受信されたデータを、ヘッダとデータとに分離するステップと、
転送速度を含むヘッダ情報を前記ヘッダから抽出するステップと、
前記転送速度によって入力データを異ならせて拡散するステップと、
前記拡散された結果と、前記受信されたデータの相関度とを演算し、最も大きい相関度に対応する入力データを逆拡散データとして決定するステップと
を備えたことを特徴とする信号受信方法。
【請求項１２】
前記拡散するステップは、
拡散符号として２N個のウォルシュ符号を使用するステップと、
２M（ただし、Ｍ＜Ｎ）個のウォルシュ符号を選択するステップと、
前記Ｍが前記入力データのビット数であるとき、（Ｎ−Ｍ）個の周波数選択ビットをＮ個の全体入力ビットの最上位に配置させるステップと、
所望の周波数帯域選択のための周波数選択ビットを設定するステップと
を含むことを特徴とする請求項１１に記載の信号受信方法。
【請求項１３】
前記相関度を演算するステップは、
前記拡散された出力を、前記受信されたデータとそれぞれＸＯＲ演算するステップと、
前記ＸＯＲ演算結果を、前記転送速度に対応するシンボル区間の間積算するステップと
を含むことを特徴とする請求項１１に記載の信号受信方法。
【発明の詳細な説明】
【技術分野】
【０００１】
本発明は、人体通信システムにおける変更可能なデータ速度の信号送信及び受信装置並びに方法に関し、より詳細には、人体を伝達媒体とする通信システムにおいて、制限された周波数帯域の中に変更可能なデータ速度の信号を送信及び受信する装置並びに方法に関する。
【０００２】
本発明は、情報通信部及び情報通信研究振興院のＩＴ新成長動力核心技術開発事業の一環として行われた研究から導き出されたものである［課題管理番号：２００６−Ｓ−０７２−０２、課題名：人体通信コントローラＳｏＣ］。
【背景技術】
【０００３】
人体通信は、人体が伝導力のあるという事実を使用する技術である。しかしながら、人体通信デバイス特有の電極をくっつける必要がある。例えば、二人の人が握手をすると、一人の人体通信デバイスの電極は、データを、二人の手首の動きによって送信する電界を生成する。上記の電界は、人体に微細電流を誘導することによって、人体によるデータ送信を可能にする。微細電流の振幅は、約１ナノアンペアであって、人体の至る所をすでに流れている電流の振幅よりも、より小さい。理論上、１ナノアンペアの電流は、毎秒４０万ビットを送信することを可能にする。
【０００４】
従って、人体通信システムにおいて、ノイズ電力が集中する周波数帯域を避け、及びチャンネル状態に応じてデータ速度を変更化することによってより高い処理利得を得る信号の送信及び受信の構成を提供する必要がある。
【発明の概要】
【発明が解決しようとする課題】
【０００５】
本発明が解決しようとする課題は、人体周辺のノイズ電力が、他の帯域に比べて集中している周波数帯域を避け、人体が導波管の役割を行い、信号の強度が人体外部に放射される信号の強度よりも、さらに大きい周波数帯域までの制限された周波数帯域内において、直列−並列変換と周波数選択的拡散符号とを使用する人体通信システムでのデータ転送速度を可変し、これによって、受信側信号処理回路の複雑度も変更される信号送信及び受信装置並びに方法を提供するところにある。
【課題を解決するための手段】
【０００６】
上記の課題を解決するために、本発明の信号送信機は、転送速度を含むヘッダ情報を生成するヘッダ生成部と、転送するデータを上記の転送速度によって０ないし数回反復して転送データを生成するデータ生成部と、生成されたデータを所望の周波数帯域の拡散符号を使用して拡散するスプレッダと、上記のヘッダ情報及び拡散されたデータを多重化して出力する多重化部とを備えたことを特徴とする。
【０００７】
上記の課題を解決するために、本発明の信号送信方法は、転送速度を含むヘッダ情報を生成するステップと、転送するデータを上記の転送速度によって０ないし数回反復して転送データを生成するステップと、生成されたデータを所望の周波数帯域の拡散符号を使用して拡散するステップと、上記のヘッダ情報及び拡散されたデータを多重化して出力するステップとを備えたことを特徴とする。
【０００８】
上記の課題を解決するために、本発明の信号受信機は、受信されたデータをヘッダとデータとに分離する逆多重化部と、転送速度を含むヘッダ情報を上記のヘッダから抽出するヘッダ処理部と、上記の転送速度によって入力データを異ならせて拡散し、拡散された結果と、上記の受信されたデータの相関度とを演算し、最も大きい相関度を出力する入力データを逆拡散データとして決定するデスプレッダとを備えたことを特徴とする。
【０００９】
上記の課題を解決するために、本発明の信号受信方法は、受信されたデータをヘッダとデータとに分離するステップと、転送速度を含むヘッダ情報を上記のヘッダから抽出するステップと、上記の転送速度によって入力データを異ならせて拡散するステップと、上記の拡散された結果と、上記の受信されたデータの相関度とを演算し、最も大きい相関度を出力する入力データを逆拡散データとして決定するステップとを備えたことを特徴とする。
【発明の効果】
【００１０】
本発明によれば、データに対する直列−並列変換及び周波数選択的拡散／逆拡散方法を採用することによって、変更可能な転送速度のデータを転送するとき、転送速度による送受信データの反復特徴を利用して処理することによって、高い伝送利得を得ることができる。これによって、ユーザ相互間の干渉と他の電子機器から誘起される干渉とを減少させることができる。
【図面の簡単な説明】
【００１１】
【図１】本発明の一実施形態に係る人体通信用送信機のブロック図である。
【図２】本発明の一実施形態に係るフレームの構成を図示した図である。
【図３】本発明の一実施形態に係る拡散符号の例を図示した図である。
【図４】本発明の一実施形態に係る周波数選択的スプレッダの回路図を図示した図である。
【図５】本発明の一実施形態に係る人体通信用受信機のブロック図である。
【図６】本発明の一実施形態に係る速度０の場合の図５の周波数選択的デスプレッダの構造を図示した図である。
【図７】本発明の一実施形態に係る速度１の場合の図５の周波数選択的デスプレッダの構造を図示した図である。
【図８】本発明の一実施形態に係る速度２の場合の図５の周波数選択的デスプレッダの構造を図示した図である。
【図９】本発明の一実施形態に係る速度３の場合の図５の周波数選択的デスプレッダの構造を図示した図である。
【発明を実施するための形態】
【００１２】
以下、添付された図面を参照しつつ、本発明について詳細に説明する。
【００１３】
本発明では、人体ノイズ電力が、他の帯域に比べて集中している０から５ＭＨｚまでの区間と、４０ＭＨｚ以上の区間とを除外した５ＭＨｚから４０ＭＨｚまでの制限された周波数帯域を使用してデータ転送を行うために、周波数選択的基底帯域転送技術を使用する。
【００１４】
ここで、周波数選択的基底帯域技術とは、データの処理利得のために使われるあらゆる拡散符号のうち、ユーザが所望する周波数帯域において、最も優勢な周波数特性を有する拡散符号だけを使用する転送することであり、これによって、アナログ送受信部が簡単になる基底帯域転送を行いつつも、所望の周波数帯域と処理利得とを同時に得ることができる。例えば、拡散符号として、６４個のウォルシュ符号（Walsh code）を使用する場合、６４個のウォルシュ符号は、０から１６ＭＨｚまでの周波数帯域を６４個に分割し、順次に最も優勢な周波数が等しく分布される特性を有する。このとき、６４個のウォルシュ符号を４個のサブグループに分け、ユーザが所望する周波数帯域のウォルシュ符号サブグループを選択することによって、所望の周波数帯域を使用する周波数選択的基底帯域転送を行うことができる。
【００１５】
図１は、本発明の一実施形態に係る人体通信用送信機のブロック図である。
【００１６】
図示された人体通信用送信機は、人体通信ＭＡＣ（media access control）ハードウェアであり、ＭＡＣ送信処理部１、人体通信物理階層変調部２及び信号電極３を含む。
【００１７】
人体通信物理階層変調部２は、プリアンブル（preamble）生成部２１、ヘッダ生成部ｓ、データ生成部２３、ＨＣＳ（head check sequence）生成部２４、スクランブラ（scrambler）２５、直列−並列（Ｓ２Ｐ：serial to parallel）変換器２６、スプレッダ２７、周波数選択的スプレッダ（frequency selective spreader）２８及び多重化部２９を含む。
【００１８】
信号電極３は、人体に直接連結される電極である。
【００１９】
ＭＡＣ送信処理部１は、上位階層から受信した転送するデータとデータ情報とを処理し、それぞれ人体通信物理階層変調部２に出力する。
【００２０】
プリアンブル生成部２１は、あらゆるユーザが知っている初期値にセッティングされ、一定長さのプリアンブルを生成する。
【００２１】
ヘッダ生成部２２は、ＭＡＣ送信処理部１からデータ情報、例えば、転送速度、変調方式、ユーザＩＤ、データ長などを含む情報を入力され、約束されたヘッダフォーマットに構成する。
【００２２】
図２は、本発明の一実施形態に係るフレームの構成を図示した図である。
【００２３】
図示されたところによれば、フレームは、プリアンブル、ヘッダ、及びデータ部分を含み、ヘッダは、前述のように、転送速度、変調方式、ユーザＩＤ、データ長のデータ情報と、それらのＣＲＣ（cyclic redundancy check）値とを有するフィールドを含む。
【００２４】
ここで、転送速度は、可変データ転送のために設定され、該値によって、ビット反復回数が決定される。次の表１は、転送速度と、その転送速度で転送されるデータ数とを示す。
【００２５】
【表１】
2010528552.tif 000003
【００２６】
表１によれば、速度０であるならば、最大データ速度は２Ｍｂｐｓ、フレーム当たりのデータは２，０００バイト、ビット反復は行われずに、１回のみ転送される。速度１であるならば、最大データ速度は１Ｍｂｐｓ、フレーム当たりのデータは１，０００バイト、ビット反復は１回行われ、１つのデータビットが２回反復して転送される。速度２であるならば、最大データ速度は０．５Ｍｂｐｓ、フレーム当たりのデータは５００バイト、ビット反復は３回行われ、１つのデータビットが４回反復して転送される。速度３であるならば、最大データ速度は０．２５Ｍｂｐｓ、フレーム当たりのデータは２５０バイト、ビット反復は７回行われ、１つのデータビットが８回反復して転送される。
【００２７】
可変データ速度を支援することは、さらに高い信号対ノイズ比（ＳＮＲ）を得るために、転送されるデータ速度を下げる代わりに、転送されるデータをビット別に反復して転送するためのものである。これによって、受信端では、高い処理利得のための効率的な構造の周波数選択的デスプレッダが必要である。
【００２８】
ＨＣＳ生成部２４は、ヘッダ生成部２２から入力されるヘッダフォーマットによって、ＨＣＳを生成する。
【００２９】
スプレッダ２７は、プリアンブル生成部２１で生成されたプリアンブルと、ＨＣＳ生成部２４で生成されたＨＣＳとを利用し、約束された拡散符号で拡散する。
【００３０】
図３は、拡散符号の一例であり、６４ビットのウォルシュ符号のサブグループ構成を図示した図である。図示されたところによれば、拡散符号として、６４個のウォルシュ符号を使用し、これを４個のサブグループに分ける場合、サブグループ０はＷ0からＷ15まで、サブグループ１はＷ16からＷ31まで、サブグループ２はＷ32からＷ47まで、サブグループ３はＷ48からＷ63までの１６個のウォルシュ符号をそれぞれ有する。Ｗ0からＷ63までの６４個のウォルシュ符号は、使用周波数帯域を正確に６４個に分割し、各ウォルシュ符号の最も優勢な周波数ｆdが、分割された周波数に順次にマッピングされる特徴を有する。
【００３１】
データ生成部２３は、ＭＡＣ送信処理部１から転送されるデータを入力されて所望の時間にデータを出力し、可変データ転送のために、転送速度によってデータビットを反復する。
【００３２】
スクランブラ２５は、データ保安のために選択的に使われうる。スクランブラ２５は、すでに定義され、送受信端がいずれも知っている初期値によって初期化され、直交付号を生成する。生成された直交付号は、データ生成部２３から出力されるデータとＸＯＲ演算されてスクランブルされる。可変データ速度処理のために、低いデータ転送速度でのスクランブリング後、データ出力がビット反復の特性を有するように、スクランブリングコードの出力速度を、データ転送速度が低くなった比率ほどに低い速度に合わせる。
【００３３】
直列−並列変換器２６は、スクランブリングされたデータを４ビット並列データに変換する。直列−並列変換によって使われる周波数帯域は、１／４に減少され、これは、同じ周波数帯域内において、さらに多くのデータを転送するようにしたり、同じ周波数帯域内において、さらに大きい拡散符号利得を使用することによって、高品質のデータを転送させるようにしたりする長所を有する。
【００３４】
周波数選択的スプレッダ２８は、直列−並列変換部２６から出力される４ビット並列データに対して、周波数選択的拡散符号を出力する。多重化部２９は、フレーム構成に合うように、プリアンブル、ヘッダ及びデータを出力する。多重化部２９の出力は、信号電極３に入力されて、人体内に転送される。
【００３５】
周波数選択的スプレッダ２８は、所望の周波数帯域を使用して基底帯域転送を可能にし、出力ビットもまた１ビットでデジタル直接転送を可能にする。これにより、デジタル−アナログ変換器、中間周波数変換器のような別途のアナログ処理部なしにも、多重化部２９の出力を直接信号電極３に連結できる。
【００３６】
図４は、本発明の一実施形態に係る周波数選択的スプレッダ２８の回路図を図示した図である。
【００３７】
図示された周波数選択的スプレッダ２８は、ＸＯＲ演算部２８１、ＡＮＤ演算部２８２、カウンタ２８３及びＸＯＲ演算器２８４を含む。
【００３８】
拡散符号として６４個のウォルシュ符号を使用し、図３に図示されたサブグループ３ Ｗ48〜Ｗ63の１６個のウォルシュ符号を選択して使用する場合を仮定すれば、図４のカウンタ２８３は、６ビットカウンタが適切であり、６４個のウォルシュ符号のうち、サブグループ選択のための２ビットの周波数選択制御ビットｆｓ１，ｆｓ０、下位４ビットのデータ入力ビットｂ３，ｂ２，ｂ１，ｂ０、そして出力として１ビットのＦＳ＿ＤＯＵＴを有する。
【００３９】
上記について一般的に説明すれば、拡散符号として２N個のウォルシュ符号を使用し、２M（ただし、Ｍ＜Ｎ）個のウォルシュ符号を２N個のウォルシュ符号から選び出して使用する場合、周波数選択的スプレッダ２８は、（Ｎ−Ｍ）個の周波数選択ビットを、全体入力ビット（Ｎ個）の最上位に配置させ、周波数選択ビットを設定することによって、全体の拡散される周波数帯域のうち、所望の周波数帯域を選択する。
【００４０】
従って、周波数選択的スプレッダ２８は、Ｎビットカウンタ２８３を有し、（Ｎ−Ｍ）周波数選択ビット、Ｍ個の入力データビットを含み、グレイインデクシング（gray indexing）のための（Ｎ−１）個のＸＯＲ演算器を含むＸＯＲ演算部２８１；カウンタ２８３出力と、周波数選択ビットの最上位ビットｆｓ１とＸＯＲ演算部２８１との出力とをそれぞれＡＮＤ演算するＡＮＤ演算部２８２；ＡＮＤ演算部２８２の出力をいずれもＸＯＲ演算するＸＯＲ演算器２８４を含む。
【００４１】
図３にあるサブグループ３ Ｗ48〜Ｗ63の１６個のウォルシュ符号を使用する場合を仮定すれば、周波数選択的スプレッダ２８は、２ビットの周波数選択制御ビットｆｓ１，ｆｓ０値は、「１１」に設定される。
【００４２】
図５は、本発明の一実施形態に係る人体通信用受信機のブロック図である。
【００４３】
図示された人体通信用受信機は、人体通信インターフェース部４、人体通信物理階層復調部５及び人体通信ＭＡＣハードウェアとしてのＭＡＣ受信処理部７を含む。
【００４４】
人体通信インターフェース部４は、前処理部４１、並びにクロック復元及びデータリタイミング（clock recovery & data retiming）部４２を含む。
【００４５】
前処理部４１は、人体を通過しつつノイズが付加され、信号電極３を介して受信された信号をフィルタリングしてノイズを除去し、所望のサイズの信号に増幅する。
【００４６】
クロック復元及びデータリタイミング部４２は、増幅された受信信号と受信端クロックとのタイミング同期を合わせ、周波数オフセットを補償する。
【００４７】
人体通信物理階層復調部５は、フレーム同期部２００、逆多重化部５２、デスプレッダ５３、周波数選択的デスプレッダ５４、並列−直列変換部５５、ＨＣＳ検査部５６、デスクランブラ５７、ヘッダ処理部５８及びデータ処理部５９を含む。
【００４８】
フレーム同期部２００は、プリアンブルを利用し、受信信号からフレーム同期を得る。逆多重化部５２は、フレーム同期部２００で獲得されたフレーム同期を利用し、受信信号からヘッダ部分とデータ部分とを分離して出力する。
【００４９】
デスプレッダ５３は、受信信号のヘッダ部分を逆拡散し、ＨＣＳ検査部５６は、逆拡散された信号のＨＣＳを検査し、エラーが発生したか否かを判別する。ヘッダ処理部５８は、ＨＣＳ検査結果によって、エラー訂正などを行った後、誤りがない場合、ヘッダ情報を抽出してＭＡＣ受信処理部７に出力する。
【００５０】
周波数選択的デスプレッダ５４は、逆多重化部５２で分離されたデータ部分と、６４個の拡散符号のうち、送信機の周波数選択的スプレッダ２８で使用した１６個の拡散符号と相関させ、相関度が最も大きい拡散符号を４ビットのデータビットとして出力する。出力された４ビットデータビットは、並列−直列変換部５５を介して、直列に変換される。
【００５１】
デスクランブラ５７は、既定義の初期値を利用して得られた直交符号において、ヘッダ情報に含まれた転送速度によって、並列−直列変換器５５で変換されたデータをデスクランブルする。データ処理部５９は、デスクランブリングされたデータを処理し、得ようとするデータを得る。
【００５２】
ＭＡＣ受信処理部７は、ヘッダ処理部５８で得たヘッダ情報と、データ処理部５９で得たデータとを結合し、上位階層に出力する。
【００５３】
図６は、本発明の一実施形態に係る速度０の場合の周波数選択的デスプレッダ５４の構造を図示した図である。図示された周波数選択的デスプレッダ５４は、図４の周波数選択的スプレッダ２８の逆過程を行う。ここで、転送速度は、ヘッダ処理部５８によって、ヘッダに含まれた情報から得られる。
【００５４】
図示された周波数選択的デスプレッダ５４は、周波数選択的スプレッダ部５４０−１、ＸＯＲ演算部５４１−１、積算部５４２−１及び比較選択部５４３−１を含む。
【００５５】
周波数選択的デスプレッダ５４に入力される信号ＩＮは、１６個のウォルシュ符号Ｗ４８〜Ｗ６３のうち一つに、人体を通過してノイズが加えられた信号である。従って、１６個の周波数選択的スプレッダから構成された周波数選択的スプレッダ部５４０−１に、「００００」、「０００１」、…、「１１１１」をそれぞれ入力して生成された１６個のウォルシュ符号と受信信号ＩＮとを、それぞれ１６個のＸＯＲ演算器から構成されたＸＯＲ演算部５４１−１に入力し、その出力値を、１６個の積算器から構成された積算部５４２−１において、ウォルシュ符号長である６４ビット（１シンボル）の間、それぞれ積算する。積算部５４２−１から出力される１６個の値は、比較選択部５４３−１に入力され、受信信号と最も相関度が大きい、すなわち、積算部５４２−１の出力値が最も小さい値を選択し、そのときの周波数選択的スプレッダ部に入力された値４ビットを出力する。
【００５６】
例えば、送信側において、信号が人体通過時に付加されるノイズがなく、送信機において、周波数選択的スプレッダ２８の入力値が「００１０」であるならば、周波数選択的スプレッダ２８の出力値は、Ｗ50＝  
（0101101001011010101001011010010110100101101001010101101001011010）  
になる。この値が、周波数選択的デスプレッダ５４に入力されれば、積算部５４２−１の出力値は、それぞれ「３２、３２、０、３２、…、３２」が出力される。比較選択部５４３−１は、「０」の値を有する「００１０」を逆拡散された値として出力する。
【００５７】
図７は、本発明の一実施形態に係る速度１の場合の周波数選択的デスプレッダ５４の構造を図示した図である。速度１は、ヘッダ処理部５８で得た値であり、データが１回反復され、連続された２ビット値が同じ場合である。従って、周波数選択的スプレッダ部５４０−２は、４個の値「００００」、「００１１」、「１１００」、「１１１１」を入力されて６４ビットのウォルシュ符号を出力し、ＸＯＲ演算部５４１−２は４個のＸＯＲ演算器を含み、受信信号ＩＮと周波数選択的スプレッダ部５４０−２の出力とをＸＯＲ演算する。積算部５４２−２は、ＸＯＲ演算部５４１−２からそれぞれ出力される値を６４ビットの間積算し、比較選択部５４３−２は、４個の積算値を比較し、最も小さい値に該当する周波数選択的スプレッダの入力を逆拡散された値として出力する。
【００５８】
速度１である場合、周波数選択的デスプレッダ５４は、連続された２ビットが同じ値を有するビット反復特性のために、速度０である場合のように、１６個の周波数選択的スプレッダ出力のうちの一つではなく、「００００」、「００１１」、「１１００」、「１１１１」の４個のうちの一つである。これは、１６個のうちの一つを探す場合より、４個のうちの一つを探すものであるから、速度０である場合に比べ、高い伝送利得を得ることができることを示す。
【００５９】
図８は、本発明の一実施形態に係る速度２の場合の周波数選択的デスプレッダ５４の構造を図示した図である。速度２は、データが３回反復され、連続された４個のデータが同じ場合である。
【００６０】
周波数選択的スプレッダ部５４０−３には、２個の値「００００」、「１１１１」が入力され、ＸＯＲ演算部５４１−３は、２個のＸＯＲ演算器を具備し、受信された信号ＩＮと周波数選択的スプレッダ部５４０−３の出力とをＸＯＲ演算する。積算部５４２−３は、２個のＸＯＲ演算器から出力される値を６４ビットの間積算する。比較選択部５４３−３は、積算部５４２−３の２個の出力を比較し、小さい値に該当する周波数選択的スプレッダ部５４０−３の入力４ビット値を逆拡散された値として出力する。転送速度２である場合、連続された４ビット特性を有する「００００」、「１１１１」のうち一つが出力されるので、速度０及び１である場合に比べ、高い伝送利得を得ることができる。
【００６１】
図９は、本発明の一実施形態に係る速度３の場合の周波数選択的デスプレッダ５４の構造を図示した図である。
【００６２】
速度３は、データが７回反復され、連続される８個のデータビットが同じ値を有するものであり、２個のシンボルが連続される場合である。
【００６３】
周波数選択的スプレッダ部５４０−４には、「００００」と「１１１１」とが入力され、ＸＯＲ演算部５４１−４は、２つのＸＯＲ演算器を具備し、受信された信号ＩＮと、周波数選択的スプレッダ部５４０−４の出力とをＸＯＲ演算する。積算部５４２−４は、２つのＸＯＲ演算器から出力される値を１２８ビットの間積算する。比較選択部５４３−４は、積算部５４２−４の２つの出力を比較し、小さい値に該当する周波数選択的スプレッダ部５４０−４の入力４ビット値を逆拡散された値として出力する。速度３である場合、２個のシンボルが同じ値であることを知っているために、２個のシンボルの値を積算して選択することによって、速度０、１、２である場合に比べ、高い伝送利得を得ることができる。
【００６４】
図６ないし図９に図示された周波数選択的デスプレッダは、データ転送速度による構造の変化を説明するために別途に図示したが、実際の具現では、統合されて転送速度値を入力され、電力消耗と回路規模とが最小化される構造として具現される。
【００６５】
以上のように、図面と明細書とで最良の実施形態が開示された。ここで、特定の用語が使われたが、それらは、単に本発明を説明するための目的で使われたものであり、意味限定や特許請求の範囲に記載された本発明の範囲を制限するために使われたものではない。従って、本技術分野の当業者ならば、それらから多様な変形及び均等な他実施形態が可能であるという点を理解することが可能であろう。従って、本発明の真の技術的保護範囲は、特許請求の範囲の技術的思想によってのみ決まるものである。
【図１】
2010528552.tif 000004
【図２】
2010528552.tif 000005
【図３】
2010528552.tif 000006
【図４】
2010528552.tif 000007
【図５】
2010528552.tif 000008
【図６】
2010528552.tif 000009
【図７】
2010528552.tif 000010
【図８】
2010528552.tif 000011
【図９】
2010528552.tif 000012
【国際調査報告】
2010528552.tif 000013
2010528552.tif 000014